(57)【要約】      （修正有）【課題】茶箱本体を板材で補強することで椅子として利用できる強度に容易にすることができ、また不要になった着物の帯を加工すれば椅子の装飾として織物工芸品の高級感を醸し出し、非常に意匠性に優れたデザインの椅子ができる茶箱を改造した椅子を提供する。【解決手段】茶箱の蓋上面に蓋補強部材を取り付けて、その上にウレタン等の弾性材料を設置し、全体をカバー部材Ａで被覆することで椅子の座部２とする。また茶箱本体の外周側面にもウレタン等の弾性材料を設置した後、側面カバー部材Ｂ、Ｃで被覆し、更には箱本体の下面には底部補強部材を取り付けて同様に弾性材料と、底部カバー部材Ｄで被覆し、底部補強部材に脚１４を取り付けることで、茶箱本体を椅子本体部３とする。これにより、簡単な補強で茶箱を椅子として利用することができ、またカバー部材を装飾生地で製作することにより、その装飾効果を多種多様にすることができる。【選択図】図１
0003194768.tif 000002
【実用新案登録請求の範囲】
【請求項１】
蓋と箱本体とからなる茶箱において、蓋の上面に合板、樹脂板等の板状の蓋補強部材を取り付け、該蓋の上面及び左右前後側面にウレタン等の弾性材料を設置し、これらの弾性材料の上から蓋カバー部材を被覆することで、蓋全体を椅子用の座とし、箱本体の側面外周にウレタン等の弾性材料を設置して側面カバー部材で被覆し、箱本体の底部下面に合板、樹脂板等の板状の底部補強部材を取り付け、該底部補強部材にウレタン等の弾性材料を取り付けて底部カバー部材で被覆し、更に前記底部補強部材に脚を取り付け、箱本体を椅子本体としたことを特徴とする茶箱を改造した椅子。
【請求項２】
蓋カバー部材は、蓋の左右側面と上面側に対応する部分が着物の帯部材を裁断した生地であり、蓋の残りの前後面側に対応する部分は椅子生地である前記請求項１に記載の茶箱を改造した椅子。
【請求項３】
蓋カバー部材の着物の帯部材を裁断した生地は、帯を裁断した後の模様のある表面を取り出し、該帯表面の裏側に裏地を縫い付けたものである請求項２に記載の茶箱を改造した椅子。
【請求項４】
蓋カバー部材、側面カバー部材、底部カバー部材の全面を全て着物の帯部材を裁断したものである前記請求項１に記載の茶箱を改造した椅子。
【請求項５】
蓋補強部材の上面側に弾性係数の異なる弾性材料を積層すると共に、蓋の左右両側面と上面の三面に跨って連続した弾性材料を設置し、蓋の前後面にはそれぞれ個別の弾性材料を設置した前記請求項１に記載の茶箱を改造した椅子。
【考案の詳細な説明】
【技術分野】
【０００１】
本考案は、茶箱の蓋を椅子の座として利用し、茶箱の箱本体を椅子本体として利用すると共に、箱本体の中を収納スペースとして利用し、また蓋及び箱本体に着物の帯を裁断加工した生地を利用することで、高級感を醸し出すことが出来、しかも、外観上の見栄えにも優れた意匠的価値の高い茶箱を改造した椅子の技術に関するものである。
【背景技術】
【０００２】
通常、玄関等において、高齢者や身体に障害がある人が履物を履いたり脱いだりするときには、腰を屈めて低い姿勢にならなければならず、高度の負担を強いることになる。
そのため、従来においては、特許文献１に示すように、玄関の壁面に折畳式の椅子を設置し、高齢者等が履物を履いたり、脱いだりする時には、壁面から椅子を引き出して座ったままの状態で行うようにしていた。またこの椅子を利用して訪問者の応対をしたり、休憩をとるなどのことも行われていた。なお、この特許文献１の技術では、壁面の収納枠体と、折畳自在な座板及び蓋板とを金属材料で形成し、これらにマグネットを取り付けて折畳自在な座板及び蓋板を収納枠体へ磁性力で吸着保持するようにしている。
【０００３】
一方、特許文献２に示すように、蓋と、箱本体とから成る電荷製品等の梱包箱を椅子として利用する技術も公知である。この特許文献２では、梱包箱自体を、厚さ10mm程度の木材、合板、合成樹脂等の強度な材料で作成し、蓋の下面側にクッションを設置しておき、電荷製品等の収納箱として利用するときには、クッションを下面にして蓋をし、椅子として利用するときには、蓋の下面を上向きに箱本体に載置して使用するようにしている。
【先行技術文献】
【特許文献】
【０００４】
【特許文献１】特開２０１１−１１５２９３
【特許文献２】実用新案登録第３０６５９０５号
【考案の概要】
【考案が解決しようとする課題】
【０００５】
ところが、前記特許文献１の技術にあっては、壁面に設置していることから場所が固定されており、高齢者等が使用するときに、任意の位置へ移動させることができないという問題があった。
またこれらの座板及び蓋板は、金属質性の光沢を有するのみであり、意匠的にも乏しいという欠点があった。なお、これらの座板及び蓋板を設置後に装飾することも考えられるが、この場合、ペイントを塗布するか、市販の装飾材料を貼り付ける等の作業が必要であり、面倒であった。
【０００６】
一方、特許文献２の技術にあっては、梱包箱を椅子として利用しようとするものであり、玄関等におけば、これを移動させて使用者の任意の位置へ設置することも可能である。然しながら、この特許文献２の梱包箱は、合板等の板状部材を利用し、木目模様をそのまま利用するだけのものであり、意匠的に何ら特徴を有するものではない。梱包箱そのものの存在が認識されるものであって、椅子として認識されるものではなかった。つまり、椅子としては、梱包箱の上にクッション又は座布団を載置して梱包箱を椅子の代わりに利用したに過ぎないものであった。
【０００７】
そこで、本考案は、上記の問題に鑑みて、茶箱本体が椅子として利用できる適度の大きさを有するものであることに着目し、またこれを板材で補強することで椅子として利用できる強度に容易にすることができ、更には不要になった着物の帯を加工すれば椅子の装飾として織物工芸品の高級感を醸し出し、非常に意匠性に優れたデザインの椅子ができることを開発したものである。
【課題を解決するための手段】
【０００８】
前記課題を解決するためになされた請求項１の考案は、蓋と箱本体とからなる茶箱において、蓋の上面に合板、樹脂板等の板状の蓋補強部材を取り付け、該蓋の上面及び左右前後側面にウレタン等の弾性材料を設置し、これらの弾性材料の上から蓋カバー部材を被覆することで、蓋全体を椅子用の座とし、箱本体の側面外周にウレタン等の弾性材料を設置して側面カバー部材で被覆し、箱本体の底部下面に合板、樹脂板等の板状の底部補強部材を取り付け、該底部補強部材にウレタン等の弾性材料を取り付けて底部カバー部材で被覆し、更に前記底部補強部材に脚を取り付け、箱本体を椅子本体としたことを特徴とする茶箱を改造した椅子である。
【０００９】
請求項２の考案は、蓋カバー部材は、蓋の左右側面と上面側に対応する部分が着物の帯部材を裁断した生地であり、蓋の残りの前後面側に対応する部分は椅子生地である前記請求項１に記載の茶箱を改造した椅子である。
【００１０】
請求項３の考案は、蓋カバー部材の着物の帯部材を裁断した生地は、帯を裁断した後の模様のある表面を取り出し、該帯表面の裏側に裏地を縫い付けたものである請求項２に記載の茶箱を改造した椅子である。
【００１１】
請求項４の考案は、蓋カバー部材、側面カバー部材、底部カバー部材の全面を全て着物の帯部材を裁断したものである前記請求項１に記載の茶箱を改造した椅子である。
【００１２】
請求項５の考案は、蓋補強部材の上面側に弾性係数の異なる弾性材料を積層すると共に、蓋の左右両側面と上面の三面に跨って連続した弾性材料を設置し、蓋の前後面にはそれぞれ個別の弾性材料を設置した前記請求項１に記載の茶箱を改造した椅子である。
【考案の効果】
【００１３】
請求項１の考案にあっては、茶箱の蓋上面に蓋補強部材を取り付けて、その上にウレタン等の弾性材料を設置し、全体をカバー部材で被覆することで椅子の座としている。
また茶箱本体の外周側面にもウレタン等の弾性材料を設置した後、側面カバー部材で被覆し、更には箱本体の下面には底部補強部材を取り付けて同様に弾性材料と、底部カバー部材で被覆し、底部補強部材に脚を取り付けることで、茶箱本体を椅子本体としている。
これにより、簡単な補強で茶箱を椅子として利用することができ、またカバー部材を装飾生地で製作することにより、その装飾効果を多種多様にすることができる。
【００１４】
請求項２の考案にあっては、蓋カバー部材のうちの、蓋の左右側面と上面側に対応する三面を連続した着物の帯部材を加工した生地としている。これにより、帯の高級感を醸し出すことができ、意匠的にも広範囲な装飾が可能となった。
【００１５】
請求項３の考案にあっては、着物の帯部材を装飾に利用する場合に、帯を裁断すると、裏面側の装飾糸がほつれ易くなるので、これを防止するために、別途裏地を縫い付けるようにしている。
【００１６】
請求項４の考案にあっては、椅子全体のカバー部材の装飾を、着物の帯部材を加工したものとしている。部位によって、帯の種類を変更することにより、椅子全体の意匠的効果が帯の装飾がもたらす、高級感及び装飾芸術性に優れたものとなる。
【００１７】
請求項５の考案にあっては、椅子の座として利用する蓋部材に、種類の異なる弾性材料を設置することで、座り心地のよい、しかも椅子の形状にフィットした座部を形成することができる。
【図面の簡単な説明】
【００１８】
【図１】本考案の一実施の形態に係るものであり、椅子の座に相当する蓋を取り外した状態を示す椅子全体の斜視図である。
【図２】本考案の一実施の形態に係るものであり、茶箱の蓋の上面に補強部材を取り付けた状態の茶箱全体の斜視図である。
【図３】本考案の一実施の形態に係るものであり、茶箱の底部に取り付ける補強部材と脚とを示す斜視図である。
【図４】本考案の一実施の形態に係るものであり、蓋補強部材と底部補強部材及び脚を取り付けた状態の茶箱全体を示す斜視図である。
【図５】本考案の一実施の形態に係るものであり、蓋にウレタン等の弾性材料を積層した状態を示す縦断面図である。
【図６】本考案の一実施の形態に係るものであり、蓋の前後面にウレタン等の弾性材料を貼り付ける状態を示す斜視図である。
【図７】本考案の一実施の形態に係るものであり、茶箱本体の四側周面をカバー部材で被覆した状態を示す斜視図である。
【図８】本考案の一実施の形態に係るものであり、図（Ａ）は蓋に化粧カバーを取り付けた状態を示す斜視図、図（Ｂ）は着物の帯生地を裁断した平面図、図（Ｃ）は前後面に対応するカバー部材の作成要領を示すパイピングと椅子生地の平面図である。
【考案を実施するための形態】
【００１９】
以下、添付の図面に基づき、本考案の一実施の形態について説明する。図１は、茶箱を改造した椅子１の全体を示す斜視図である。同図に示すように、椅子１は、茶箱の蓋を改造した座部２と、茶箱本体を改造した椅子本体３とから成り、更に椅子本体３は靴、長靴、ブーツ、靴磨き用品、その他の各種物品を収納する空間４を備えた本体収納部５と、全体を支える脚部６とで構成されている。
【００２０】
次に、座部２の改造工程と、椅子本体３の改造工程とを順を追って説明する。本実施の形態で利用する茶箱７は、幅３４５ｍｍ、奥行２４０ｍｍ、高さ２６５ｍｍの大きさである。また茶箱７は、茶箱本体８の上部側の外周部に、蓋９の下端面が面接合して当接する幅広のフランジ部１０が横方向へ突出して形成されており、その内側の四周面には蓋９と嵌合する起立壁１１が設けられている（図１参照）。
【００２１】
茶箱７の改造は、蓋９と、茶箱本体８底部の補強から開始する。先ず、図２に示すように、茶箱７の蓋９の上面に、幅３４５ｍｍ、奥行２４０ｍｍ、厚み１２ｍｍのベニヤ合板を蓋補強部材１２として螺子固定する。補強部材は、他にも木材、合成樹脂材等が適用可能である。一方、図３に示すように、茶箱本体８の下面に対応した大きさを有する幅３１５ｍｍ、奥行２１５ｍｍ、厚み１２ｍｍのベニヤ合板を、底部補強部材１３として準備し、これに高さ８０ｍｍ程度の木製の脚１４を螺子固定する。そして、これを茶箱本体８の下面側に螺子固定し、図４に示すように、茶箱７を補強し、また脚１４を取り付けた中間製品１５を製作する。
【００２２】
然る後は、中間製品１５の全周面に対して装飾を施し、クッション機能を施す。蓋９側については、図５に示すように、ベニヤ合板等で補強した蓋９の補強部材１２の上面側に厚み１５ｍｍのチップウレタン１６と、厚み１５ｍｍのウレタン１７とを積層し、接合面どうしを接着剤でずれないように固定する。そして、蓋９の左右側面と上面側に対応する部分に、連続した一枚もので厚み１０ｍｍのウレタン１８を貼り付ける。
蓋９の残りの前後面については、図６に示すように、所定形状に切り取った１０ｍｍのウレタン１９，１９を貼り付ける。
更に、蓋９の内面側においては、図５に示すように、天井面に厚み１０ｍｍのウレタン９ａを貼り付ける。
【００２３】
茶箱本体８側については、フランジ部１０の外周側面に厚み１０ｍｍのウレタンを接着剤で貼り付け、本体部分の外周側面には厚み５ｍｍのウレタンを接着剤で張り付ける。続いて、接着剤が乾燥した後に、フランジ部１０の外周側面には、その全周及び上下端面を含めた部分に一枚の連続した椅子生地２０をカバー部材Ｂとして配置し、コーナー部の椅子生地を折り畳んだ後、上下端面部においてタッカーで針止めする。なお、タッカーの針は、椅子生地と同色の塗料等を塗布すれば違和感がなくなる。
【００２４】
茶箱本体８のフランジ部１０を除く外周側面のうち、左右側面については、図１及び図７に示すように、座部２の上面及び左右側面と同じ着物の帯生地２１を配置し、前後面については椅子生地２２を配置し、これらを縫い合わせてカバー部材Ｃを形成し、該カバー部材Ｃを茶箱本体の外周側面に貼り付けている。そして、カバー部材Ｃの必要箇所を椅子用の化粧鋲（図示せず）で固定するようにしている。
【００２５】
茶箱本体８の底部に取り付けられる脚部６については、底部補強部材１３の下面側に５ｍｍ厚みのウレタンを接着剤で貼り付け、カバー部材Ｄとしての椅子生地２３を表面に被覆し、上面側をタッカーを用いて針固定すればよい。なお、脚１４は一旦取り外しておいて、この脚部１４に対応する部分のウレタン及び椅子生地２３には開口を形成しておく。そして、カバー部材Ｄを取り付けた後に、脚１４を底部補強部材１３へ固定し、底部補強部材をボルト及び座付きナット（図示せず）を利用して茶箱本体８の底部に固定する。
【００２６】
最後に、ウレタン等の弾性材料を貼り付けた蓋部（図５及び図６参照）に、図８に示す要領でカバー部材Ａを装着すればよい。カバー部材Ａは、先ず、同図の図（Ａ）に示すように、紐部材の全長を幅３０ｍｍの椅子生地で巻いたパイピング２４を形成し、これと蓋部材の前後側面形状に対応する椅子生地２５とを縫い合わせて準備しておく。
【００２７】
続いて、同図の図（Ｂ）に示すように、着物の帯を２４０ｍｍの幅に裁断し、心材と裏面側の裏生地とを取り除き、表面の装飾模様が織り込まれたり、染色された表面帯生地のみを使用する。織物の帯の場合は、裁断した時点で裏面側に織り糸が露出し、ほつれやすくなっているので、これを防止するために、新たに薄い裏生地を縫い付けて椅子用の帯生地２６を製作する。そして、上下の端には、蓋９の内面側へ折り返すための椅子生地２６ａ，２６ｂを縫い合わせて延長しておく。これは帯生地２６の上下端を蓋９の内面側へ折り返すと、その厚みにより、蓋９が閉じられなくなるからである。
次に、このようにして準備した帯生地２６と、パイピング椅子生地とを更に縫い合わせて同図の図（Ｃ）に示す座部２のカバー部材Ａを製作する。このカバー部材Ａを図５及び図６に示す、弾性材料を積層配置した蓋部材に被覆し、その下端部分及び帯生地２６の延長部２６ａ，２６ｂを蓋９の内面側へ折り返し、蓋９の内面側でタッカーで針固定すればよい。また蓋９の内面側の天井面に貼り付けたウレタン９ａを裏生地でカバーし、周縁をタッカーで針固定すればよい。
【００２８】
以上により、図１に示す、茶箱７を改造した極めて意匠性に優れた椅子が完成する。このような椅子であれば、移動は自在であり、高齢者が任意の場所で気軽に座って利用することができる。茶箱７の中には、いろんな物を収納して利用すればよい。
また座部２は弾性係数の異なるウレタン材料等を積層して構成しており、座り心地が極めてよいという利点がある。しかも、着物の帯を利用して帯の模様をそのまま座部２の装飾に利用しているので、帯自体が本来的に備えている高級感をそのまま醸し出すことができる。更に、茶箱や帯等を再生利用することができるので、これらの資源の有効利用を図ることができ、エコロジーに貢献できる。
【００２９】
更にまた、フランジ部１０のカバー部材Ｂや脚部６のカバー部材Ｄの椅子生地のデザインによっては、アクセントを付けることも可能であり、装飾の範囲が広がるという利点もある。それに加えて、茶箱の全周面に対応して着物の帯部材を加工した生地で被覆し、装飾することも可能である。なお、この場合、それぞれの面ごとに帯の模様を変更する等のことが可能である。
【産業上の利用可能性】
【００３０】
ところで、本考案は、茶箱を利用した椅子を玄関等で利用する場合の実施の形態について説明したが、室内の任意の所で利用することも可能であり、高い所に対する作業を行う場合の台として利用することも可能である。
【符号の説明】
【００３１】
１…茶箱を改造した椅子
２…座部
３…椅子本体部
４…収納空間
５…本体収納部
６…脚部
７…茶箱
８…茶箱本体
９…茶箱の蓋
１０…フランジ部
１２…蓋補強部材
１３…底部補強部材
１４…脚
１５…中間製品
１６…チップウレタン
１７，１８，１９…ウレタン
２０…椅子生地
２１，２６…帯生地
Ａ…蓋部のカバー部材
Ｂ…フランジ部のカバー部材
Ｃ…茶箱本体側周面のカバー部材
Ｄ…脚部のカバー部材
【図１】
0003194768.tif 000003
【図２】
0003194768.tif 000004
【図３】
0003194768.tif 000005
【図４】
0003194768.tif 000006
【図５】
0003194768.tif 000007
【図６】
0003194768.tif 000008
【図７】
0003194768.tif 000009
【図８】
0003194768.tif 000010